(57)【特許請求の範囲】
【請求項１】
一側面が平滑面に構成され該平滑面側に先鋭刃及び該先鋭刃の少し内側に凹段部が構成された円板状の二つの切断刃が、前記平滑面側の先鋭刃部分のみを互いに面接触させ、且つ、いずれの切断刃の前記先鋭刃の先端も相手側の切断刃の前記凹段部内に位置するようにして対向配置され、それぞれ内側に回転自在に構成されてなることを特徴とする結束袋口部等の切断装置。
【請求項２】
前記二つの切断刃は、それぞれ、截頭円錐形状を有している、請求項１に記載の結束袋口部等の切断装置。
【発明の詳細な説明】
【０００１】
【発明の属する技術分野】
本発明は、特に、ビニ−ル等のプラスチック製の袋の結束された口部の不要部分の除去に有効な切断装置に関する。
【０００２】
【従来の技術】
従来、食品、その他の商品をビニ−ル等のプラスチック製の袋に充填し、口部を粘着テ−プ等で結束して販売等しており、その場合の結束装置として手動及び自動結束装置が提供されている（例えば、本出願人の提案に係る特許公開平成７年第１５６９１７号公報参照）。
【０００３】
前記手動の結束装置における口部の不要部分の除去は、固定刃に切断部分を手で押し付けるものであり、前記自動の結束装置における口部の不要部分の除去は、二枚の回転刃間に切断部分を送り込むものである。
【０００４】
【発明が解決しようとする課題】
前記のごとく、いずれの結束装置においても、結束後の不要部分を容易、安全且つ完全に切断することが望まれる。すなわち、ビニ−ル等のプラスチック製の袋は、全体はもとより結束した口部も極めて柔軟性を有するため、そのまま固定刃に押し付けても、また二枚の回転刃間に送り込んでも容易には完全に切断されない。
【０００５】
そこで作業者が袋側と不要部分側を手に持って切断部を緊張させて切断をしており、その際に、手、肩に負担がかかり、多数商品の結束及び不要部分の除去作業には疲労を伴うものであった。
【０００６】
本発明は、前記事情に鑑みなされたもので、切断刃の切れ味の向上を図り、容易且つ完全な切断が可能であり、安全であるとともに労力を軽減できる結束袋口部等の切断装置を提供することを目的とする。
【０００７】
【課題を解決するための手段】
前記目的達成のため、本発明は、一側面が平滑面に構成され該平滑面側に先鋭刃及び該先鋭刃の少し内側に凹段部が構成された円板状の二つの切断刃が、前記平滑面側の先鋭刃部分のみを互いに面接触させ、且つ、いずれの切断刃の前記先鋭刃の先端も相手側の切断刃の前記凹段部内に位置するようにして対向配置され、それぞれ内側に回転自在に構成したものである。具体的には、前記二つの切断刃は、それぞれ、截頭円錐形状を有している。
【０００８】
【発明の実施の形態】
以下、本発明の実施の形態を説明する。図１は袋口部等の結束装置の一例を示す側面図であり、図中、１は粘着テ−プ、２は結束装置部であり、該結束装置部に前記粘着テ−プ１が予め導かれている。
【０００９】
３は本発明に係る結束袋口部等の切断装置であり、それぞれ内側に回転する円板状の切断刃４、５が設けられている。また、図中、６は前記切断刃４、５を回転駆動させるモ−タ及び伝動装置等の内蔵部、７はバッテリ−である。
【００１０】
前記構成の結束装置は、袋口部を絞り、その袋側と不要部分側を手に持って、その間を前記結束装置部２から前記切断装置３側に移動させれて送り込めばよいものであり、結束装置部２で袋口部の結束が行われ、つぎに切断装置３で不要部分の切断除去が行われるものである。
【００１１】
図２は前記切断装置部３、具体的には、前記切断刃４、５を回転駆動させるモ−タ及び伝動装置等の内蔵部６の拡大図、図３は図２のＩＩＩ−ＩＩＩ線断面図である。ここで切断刃４、５の回転駆動機構の一例について述べる。
【００１２】
図２において、８はモ−タ（図示せず）の回転軸、９は該モ−タの回転軸８に取付けられた原動歯車、１０、１１及び１２はそれぞれ伝動歯車、１３は切断刃４の回転軸１４に設けられた従動歯車、１５は切断刃５の回転軸１６に設けられた従動歯車である。
【００１３】
なお、図中、１７は切断刃５の回転軸１４に設けられた波形ばね座金であり、具体的には、図４に示すように平座金１８を介して二重に設けられ、前記一方の切断刃４を前記他方の切断刃５に押圧している。図中、１９はそれぞれ軸受である。
【００１４】
前記構成によれば、モ−タを駆動させると、回転軸８に取付けられた原動歯車９から伝動歯車１０、１１及び１２を介して切断刃４及び５の回転軸１４及び１６上に設けられた従動歯車１３及び１４がそれぞれ矢印のごとく回転させられ、同時に切断刃４及び５がそれぞれ内側に回転させられる。
【００１５】
したがって、図２において、左側から切断刃４及び５間に袋口部の結束部の不要部分を送り込めば、該結束部の不要部分を切断することができる。
【００１６】
つぎに、本発明の結束袋口部等の切断装置の詳細について説明する。本発明においては、前記二つの切断刃４及び５が、それぞれ、図５に示すごとく截頭円錐形状に構成される。まず、一側面が平滑面４ａ及び５ａに構成され、該平滑面４ａ及び５ａ側に先鋭刃４ｂ及び５ｂが構成される。
【００１７】
すなわち、前記先鋭刃４ｂ及び５ｂが、前記平滑面４ａ及び５ａ側をそのままにして、反対面を斜めに研削加工して先鋭に構成される。さらに前記先鋭刃４ｂ及び５ｂの少し内側にそれぞれ凹段部４ｃおよび５ｃが構成される。なお、図面実施例では凹段部４ｃおよび５ｃは円形溝状に構成されている。
【００１８】
そしてさらに本発明では、前記切断刃４及び５が前記平滑面側の先鋭刃４ｂ及び５ｂ部分のみを接触させて対向配置される。具体的には、切断刃４及び５の先鋭刃４ｂ及び５ｂの先端が対向する切断刃５及び４の凹段部５ｃ及び４ｃに位置するように構成される。
【００１９】
すなわち、図面実施例の場合には、切断刃４及び５の先鋭刃４ｂ及び５ｂの先端が前記円形溝内に位置するように対向配置される。
【００２０】
前記のごとく、本発明の結束袋口部等の切断装置は、一側面が平滑面４ａ、５ａに構成され該平滑面４ａ、５ａ側に先鋭刃４ｂ、５ｂを構成し、さらに該平滑面４ａ、５ａ側の先鋭刃４ｂ、５ｂ部分のみ、すなわち、切断作用を有する部分のみを接触させて対向配置してなり、さらに先鋭刃４ｂ、５ｂが常に研磨し合う状態にあるため、切れ味の向上が図られ、したがって容易に完全切断が可能であり、余分な力を必要としないため安全且つ労力を軽減できるものである。
【００２１】
さらに、一方の切断刃の回転軸部に波形ばね座金を設け、該一方の切断刃を他方の切断刃に押圧するように構成すれば、両切断刃の先鋭刃部分の密着度が高められ、研磨効果が加わり、さらに切れ味が向上するとともに継続使用において切れ味に変化が生じることがないものである。
【００２２】
【発明の効果】
本発明によれば、切断刃の切れ味の向上が図られ、容易且つに完全切断が可能であり、安全であるとともに労力を軽減することができる効果が得られる。
【図面の簡単な説明】
【図１】袋口部等の結束装置の側面図である。
【図２】切断装置部の拡大図である。
【図３】図２のＩＩＩ−ＩＩＩ線矢視図である。
【図４】波形ばね座金部の分解図である。
【図５】切断刃の一部断面斜視図である。
【符号の説明】
３    切断装置
４    切断刃
５    切断刃
４ａ  平滑面
５ａ  平滑面
４ｂ  先鋭刃
５ｂ  先鋭刃
４ｃ  凹段部
５ｃ  凹段部
１７  波形ばね座金
【図１】
0003557310.tif 000002
【図２】
0003557310.tif 000003
【図３】
0003557310.tif 000004
【図４】
0003557310.tif 000005
【図５】
0003557310.tif 000006